(57)【特許請求の範囲】
【請求項１】
時刻を示す時刻針（１０１、１０２）と、前記時刻針（１０１、１０２）とは別に設けられた第１、第２の表示針（１０３、１０４）と、前記第１、第２の表示針（１０３、１０４）を各々逆方向に所定範囲で往復回転させる駆動手段とを備えて、
前記駆動手段は、所定量ずつ正転及び逆転を交互に行うモータ（２００）と、前記モータ（２００）の回転を前記第１、第２の表示針（１０３、１０４）に伝達する輪列とを備えて成ることを特徴とする表示針付き電子時計。
【請求項２】
前記駆動手段は、前記第１、第２の表示針（１０３、１０４）を同一速度で往復回転させることを特徴とする請求項１記載の表示針付き電子時計。
【請求項３】
前記輪列は、前記モータ（２００）と逆方向の回転を前記第１の表示針（１０３）に伝達する第１の輪列と、前記モータ（２００）と同一向の回転を前記第２の表示針（１０４）に伝達する第２の輪列とを備えて成ることを特徴とする請求項１又は２記載の表示針付き電子時計。
【請求項４】
前記時刻針（１０１、１０２）及び表示針（１０３、１０４）は、同軸上に配設されていることを特徴とする請求項1乃至３のいずれか一に記載の表示針付き電子時計。
【請求項５】
前記輪列には、歯車（３０３）とかな（３０４）が上下２段に構成されると共に、前記かな（３０４）が前記歯車（３０３）よりも小径で歯数が前記歯車（３０３）の歯数と同一に構成された車（２１０）が含まれていることを特徴とする請求項１乃至４のいずれか一に記載の電子時計。
【請求項６】
前記輪列には前記第１の表示針（１０３）駆動用筒車（２１２）、反転用車（２１１）及び前記第２の表示針（１０４）駆動用筒車（２１３）が備えられて成り、前記車（２１０）は、前記モータ（２００）の回転を、その歯車（３０３）によって前記筒車（２１２）に伝達すると共にそのかな（３０４）によって前記反転用車（２１１）を介して前記筒車（２１３）に伝達することを特徴とする請求項５記載の電子時計。
【請求項７】
前記駆動手段は、操作スイッチ（１０８）と、音声出力手段（４０１）と、前記第１、第２の表示針（１０３、１０４）を相互に逆方向に往復回転させる回転手段と、制御手段（６０４）と、前記第１、第２の表示針（１０３、１０４）が相互に逆方向に第１の往復回転運動をするように前記回転手段を制御するための第１の駆動信号データ、音楽データ及び前記第１、第２の表示針（１０３、１０４）が相互に逆方向に第２の往復回転運動をするように前記回転手段を制御するための第２の駆動信号データを記憶する記憶手段（６０３）とを備え、
前記制御手段（６０４）は、前記操作スイッチ（１０８）が操作されていないときには、前記回転手段が前記第１の駆動信号データにより、前記第１、第２の表示針（１０３、１０４）が相互に逆方向に第１の往復回転運動を行わせるように制御し、前記操作スイッチ（１０８）の操作が操作されたときには、前記音楽データを前記音声出力手段（４０１）に出力すると共に、前記回転手段が前記第２の駆動信号データにより、前記第１、第２の表示針（１０３、１０４）が相互に逆方向に第２の往復回転運動を行わせるように制御することを特徴とする請求項１乃至６のいずれか一に記載の表示針付き電子時計。
【請求項８】
前記電子時計は電子腕時計（１００）であることを特徴とする請求項１乃至７のいずれか一に記載の表示針付き電子時計。
【発明の詳細な説明】
技術分野
本発明は、図形等が一体形成された表示針を有する表示針付き電子時計に関する。
背景技術
従来から、キャラクタ等の図形が一体的に形成された表示針を備えた表示針付き電子時計が利用されている。
従来の表示針付き電子時計は、表示針としての機能を有する針が、針状の秒針あるいは円盤状の秒針によって構成されており、秒針が前記表示針を兼ねていた。また、使用者の操作によってのみ動作する表示針を備えた従来の電子時計においても、前記表示針が時刻を表す時刻針を兼ねているか、又は、前記表示針が時刻針に連動して動作するものであった。
したがって、前記いずれの電子時計においても、時刻表示を兼ねた１本の表示針を備えているにすぎず、１本の表示針ではキャラクタ等の図形に多彩な動きを与えることができず、多彩な表示はできなかった。
また、常に運針している表示針を備える電子時計は存在したものの、円盤状の秒針や針状の秒針に図形等を施す程度のものでしかなく、多様な動きを与える等の多彩な表示を行うことができなかった。
また、表示針が時刻針を兼ねていたり、時刻針と連動している場合、針のモーメントによる制約から、表示針に一体的に形成可能な図形等の大きさが制約され、多彩な表示が可能な表示針を使用することは困難であった。
本発明は、多彩な表示が可能な表示針を備えた表示針付き電子時計を提供することを目的としている。
発明の開示
本発明は、前記目的を達成するために、以下に記載されたような技術構成を採用するものである。
即ち、本発明は、時刻を示す時刻針と、前記時刻針とは別に設けられた第１、第２の表示針と、前記第１、第２の表示針を各々逆方向に所定範囲で往復回転させる駆動手段とを備えて成る表示針付き電子時計である。駆動手段は、第１、第２の表示針を逆方向に所定範囲で往復回転させる。これにより、キャラクタ等の図形が一体的に形成された表示針によって、多彩な表示が可能になる。
ここで、前記駆動手段は、前記第１、第２の表示針を同一速度で往復回転させるようにしてもよい。
また、前記駆動手段は、所定量ずつ正転及び逆転を交互に行うモータと、前記モータの回転を前記第１、第２の表示針に伝達する輪列とを備えて成るように構成してもよい。
さらに、前記輪列は、前記モータと逆方向の回転を前記第１の表示針に伝達する第１の輪列と、前記モータと同一向の回転を前記第２の表示針に伝達する第２の輪列とを備えて成るように構成してもよい。
さらにまた、前記時刻針及び表示針は、同軸上に配設されているように構成してもよい。
また、前記輪列には、歯車とかなが上下２段に構成されると共に、前記かなが前記歯車よりも小径で歯数が前記歯市の歯数と同一に構成された車が含まれているように構成してもよい。
また、前記輪列には前記第１の表示針駆動用筒車、反転用車及び前記第２の表示針駆動用筒車が備えられて成り、前記車は、前記モータの回転を、その歯車によって前記筒車に伝達すると共にそのかなによって前記反転用車を介して前記筒車に伝達するように構成してもよい。
また、前記駆動手段は、操作スイッチと、音声出力手段と、前記第１、第２の表示針を相互に逆方向に往復回転させる回転手段と、制御手段と、前記第１、第２の表示針が相互に逆方向に第１の往復回転運動をするように前記回転手段を制御するための第１の駆動信号データ、音楽データ及び前記第１、第２の表示針が相互に逆方向に第２の往復回転運動をするように前記回転手段を制御するための第２の駆動信号データを記憶する記憶手段とを備え、前記制御手段は、前記操作スイッチが操作されていないときには、前記回転手段が前記第１の駆動信号データにより、前記第１、第２の表示針が相互に逆方向に第１の往復回転運動を行わせるように制御し、前記操作スイッチの操作が操作されたときには、前記音楽データを前記音声出力手段に出力すると共に、前記回転手段が前記第２の駆動信号データにより、前記第１、第２の表示針が相互に逆方向に第２の往復回転運動を行わせるように制御するように構成してもよい。
回転手段は、制御手段の制御の下、操作スイッチが操作されていないときには、第１の駆動信号データにより、第１、第２の表示針が相互に逆方向に第１の往復運動、例えば単調な往復運動を行うように駆動する。また、前記操作スイッチの操作が操作されたときには、音楽データを前記音声出力手段に出力すると共に、第２の駆動信号データにより、前記第１、第２の表示針が相互に逆方向に、前記第１の往復回転運動とは異なる第２の往復回転運動、例えばランダムな往復回転運動を行うように駆動する。
尚、前記電子時計は電子腕時計であってもよい。
発明を実施するための最良の形態
以下に、本発明に係る表示針付き電子時計の具体例について、図面を参照しながら詳細に説明する。
第１図は、本発明に係る表示針付き電子時計の一具体例の外観を示す正面図で、電子腕時計の例を示している。第１図において、表示針付き電子腕時計１００は、時刻を表す分針１０１及び時針１０２から成る時刻針を有すると共に、三日月形図形１０５が一体的に形成された第１の表示針１０３、星形図形１０６が一体的に形成された第２の表示針１０４及び操作スイッチ１０８を備えている。表示針１０３、１０４は、分針１０１及び時針１０２と文字盤１０７の間に配設されている。
後述するように、時刻針１０１、１０２を駆動するモータとは異なる１つのモータを駆動源とし、減速比がともに秒針相当で表示針１０３、１０４に対して相互に逆方向の回転を伝達する２系統の輪列を用いることにより、一対の表示針１０３、１０４を、各々、同一の速度で且つ同一の所定角度Ａの範囲で、相互に逆方向に往復運動するように回転駆動する。
第２図は第１図に示した表示針付き電子腕時計１００の駆動機構を示す背面図、第３図は第１図に示した表示針付き電子時計の駆動機構を示す拡大背面図、第４図は第２図におけるＢ−Ｂ断面図、第５図は第４図の部分拡大図断面図、第６図は本具体例に使用する車の正面図及び側面図であり、各々、同一部分には同一符号を付している。
第２図乃至第６図において、地板２０１と支持板２０２間には、分針１０１及び時針１０２から成る時刻針並びに１対の表示針１０３、１０４を回転駆動するための駆動機構や、電子回路が収容されており、詳細には次の通りに構成されている。
コイル２０３、ステータ２０４及びロータ磁石２０５によって構成された第１のステッピングモータ２００は、周知の時計用ステッピングモータであり（例えば、日本国公開特許公報第５４−１２７３６５号参照）、後述するように、表示針１０３、１０４を所定範囲（第１図の角度範囲Ａ）内で相互に反対方向に往復回転させるように、正転駆動及び逆転駆動が行われる。ステータ２０４及びコイル２０３は、ネジ２０７、２０８によって地板２０１に固定されている。
ロータ磁石２０５の歯車２０６には、車２０９の歯車３０１が歯合している。車２０９のかな３０２には車２１０の歯車３０３が歯合している。また、車２１０の歯車３０３には表示針１０３駆動用筒車２１２の歯車３０６が歯合している。
一方、車２１０のかな３０４には、反転用車２１１の歯車３０５が歯合している。また、車２１１の歯車３０５には、表示針１０４駆動用筒車２１３の歯車３０７が歯合している。
車２１０は、第６図（ａ）、（ｂ）にその正面図、側面図を示すように、歯車３０３とかな３０４とを上下２段に構成したもので、かな３０４は歯車３０３よりも小径で、かな３０４と歯車３０３の歯数は同一に構成されている。即ち、車２１０は、径が異なると共に同一歯数を有し、歯形のモジュールが相違する歯車３０３とかな３０４を２段構成した構造となっている。これにより、かな３０４は車２０９と干渉しない外径とすると共に筒車２１３の外径を極力大きくできるようにしている。
尚、車２０９、２１０及び筒車２１２は、モータ２００の回転方向（即ち、ロータ磁石２０５の回転方向）と逆方向の回転を第１の表示針１０３に伝達する第１の輪列を構成し又、車２０９、２１０、２１１及び筒車２１３は、モータ２００の回転方向と同一方向の回転を第２の表示針１０４に伝達する第２の輪列を構成している。
車２０９のかな３０２から筒車２１２の歯車３０６に至る第１の輪列の歯車比と、車２０９のかな３０２から筒車２１３の歯車３０７に至る第２の輪列の歯車比は同一に形成されており、表示針１０３と表示針１０４が同一速度で、相互に逆方向に回転駆動されるように構成されている。これにより、表示針１０３に一体的に形成された三日月形図形１０５と、表示針１０４に一体的に形成された星形図形１０６が同一速度で、相互に反対方向に回転駆動されるようになっている。
また、支持板２０２上には、音声出力手段としての円盤状の圧電素子４０１が配設されている。
ステッピングモータ２００、車２０９、２１０、２１１、筒車２１２及び筒車２１３は、第１、第２の表示針１０３、１０４を互いに逆方向に所定範囲で往復回転させる回転手段を構成している。
一方、電子腕時計１００は、分針１０１及び時針１０２を回転駆動するための構成を備えている。即ち、コイル２１９、ステータ２２０及びロータ磁石２２１によって構成された第２のステッピングモータ２２２を備えると共に、ロータ磁石２２１の回転を伝達する車２２３、２２４、分針１０１を回転駆動するための車２１４及び時針１０２を回転駆動するための筒車２１５によって構成された第３の輪列を備えている。
筒車２１２、２１３、２１５は車２１４と一体的に形成された軸２１６に同心円状に配設されている。これにより、分針１０１、時針１０２及び表示針１０３、１０４は、同軸上に配設されている。したがって、表示針１０３、１０４を取付けるための専用の空間が不要となるため小型化が可能になると共に、文字盤１０７上のデザインと一体感を持たせることが可能になる。
また、発振回路を構成する水晶振動子２１８及び駆動回路が内蔵された集積回路２１７から成る電子回路を内蔵している。
第７図は、本発明に係る表示付き電子時計の一具体例に使用する駆動回路６００のブロック図であり、第１図乃至第６図と同一部分には同一符号を付している。第７図において、駆動回路６００は、水晶振動子２１８等によって構成された発振回路６０１、発振回路６０１の出力信号からシステムクロックを生成するシステムクロック発生回路６０２、記憶手段としての不揮発性の読出専用メモリ（ＲＯＭ）６０３、システム、クロック発生回路６０２からのシステムクロックに応答して、ＲＯＭ６０３に記憶されたプログラムによって動作し、各種の演算処理やモータの駆動制御等を行う制御手段としての中央処理装置（ＣＰＵ）６０４、ステッピングモータ２００、２２２に駆動信号を供給するドライバ回路６０５、表示針１０３、１０４を回転駆動するステッピングモータ２００、分針１０１及び時針１０２を回転駆動するステッピングモータ２２２、操作スイッチ１０８、圧電素子４０１及び圧電素子を駆動するドライバ回路６０６を備えている。
ＲＯＭ６０３にはＣＰＵ６０４を動作させるためのプログラムが記憶されると共に、ＲＯＭ６０３の第１、第２、第３の記憶領域には、各々、第１の表示針１０３及び第２の表示針１０４を駆動するための第１の駆動信号データ、第２の駆動信号データ、及び、音楽データが記憶されている。
ここで、前記第３の記憶領域に記憶された音楽データは、圧電素子４０１から音楽を出力するためのデータである。
また、前記第１の記憶領域に記憶された第１の駆動信号データは、第１、第２の表示針１０３、１０４を、相互に逆方向に第１の往復回転運動、例えば相互に逆方向に単調に往復運動させるための駆動信号データである。
また、前記第２の記憶領域に記憶された第２の駆動信号データは、第１、第２の表示針１０３、１０４を、相互に逆方向に第２の往復回転運動、例えば、前記音楽にあわせて、相互に逆方向にランダムな往復運動をさせるための駆動信号データである。
第８図に、ＲＯＭ６０３に記憶された前記第１の駆動信号の例を示しており、ステッピングモータ２００を正逆転駆動する場合、ＣＰＵ６０４はＲＯＭ６０３から駆動パルスを読み出して、ドライバ回路６０５を介して、ステッピングモータ２００を正逆転駆動する（例えば、前記公開公報参照）。
以下、第１図乃至第８図を用いて、本具体例の動作を詳細に説明する。
先ず、第７図において、操作スイッチ１０８が操作されていない場合を説明する。
ＣＰＵ６０４は、操作スイッチ１０８が操作されていないことを検出して、ＲＯＭ６０３の第１の記憶領城に記憶されている第１の駆動信号データを、ドライバ回路６０５を介してモータ２００に出力する。これにより、モータ２００は、正回転動作及び逆回転動作を行う。
即ち、ステッピングモータ２００を正回転する場合、第８図（ａ）に示すように、時間幅Ｐ１のパルスを端子ＯＵＴ１に印加することにより正転させ、次に、時間幅Ｐ１のパルスをＯＵＴ２に印加することにより正転させ、この動作を１周期分（例えば、正回転動作１０回分）交互に繰り返すことにより、ステッピングモータ２００の正転が繰り返される。
また、ステッピングモータ２００を逆回転させる場合には、第８図（ｂ）に示すように、端子ＯＵＴ１に、先ず時間幅ＰＥの消磁パルスを供給し、時間ＰＳ経過後に時間幅Ｐ１のパルスを供給して一端正回転させ、その後、端子ＯＵＴ２に時間幅Ｐ２の逆回転用パルスを供給し、その後、端子ＯＵＴ１に時間幅Ｐ３の逆回転用パルスを供給する。これにより、ステッピングモータ２００が逆回転する。前記動作を、端子ＯＵＴ１と端子ＯＵＴ２に印加する信号を交互に入れ替えて、１周期分（例えば、逆回転動作１０回分）の動作を行う。
以後、前記正回転動作及び逆回転動作を１周期ずつ交互に行うことにより、ステッピングモータ２００を同一の所定量ずつ正転及び逆転させ、これを繰り返す。
これにより、ステッピングモータ２００のロータ磁石２０５が、正転方向と逆転方向に交互に、同一量ずつ回転駆動される。
ステッピングモータ２００が所定回数だけ正方向（第３図の矢印方向）に回転すると、車２０９、車２１０、筒車２１２が各々矢印方向に回転し、これによって表示針１０３が矢印方向（時計方向）に、角度範囲Ａだけ回転する。同時に、車２１０に歯合する車２１１が矢印方向に回転して、筒車２１３が矢印方向に回転し、表示針１０４が矢印方向（反時計方向）に角度範囲Ａだけ回転する。
次に、ステッピングモータ２００が前記所定回数だけ逆方向（第３図の反矢印方向）に回転すると、車２０９、車２１０、筒車２１２が反矢印方向に回転し、これによって表示針１０３が反矢印方向（反時計方向）に角度範囲Ａだけ回転する。同時に、車２１０に歯合する車２１１が反矢印方向に回転して、筒車２１３が反矢印方向に回転し、表示針１０４が反矢印方向（時計方向）に角度範囲Ａだけ回転する。
以後、上記動作を繰り返し、これにより、表示針１０３と一体になった三日月形図形１０５と、表示針１０４と一体になった星形図形１０６とは、互いに逆方向に同一の角度範囲Ａで、往復運動する。尚、表示針１０３、１０４の回転範囲、即ち第１図の角度範囲Ａは、ステッピングモータ２００が正逆方向に回転する量（数）によって定められ、ステッピングモータ２００の回転量を種々設定することにより、表示針１０３、１０４の回転範囲を種々に設定することができ、したがって、三日月形図形１０５及び星形図形１０６を種々の範囲で往復回転させることができる。
次に、操作スイッチ１０８が操作された場合について説明する。
ＲＯＭ６０３の第２の記憶領城には、第２の駆動信号データとして、例えば、５個の正転用パルス、４個の逆転用パルス、６個の正転用パルス、２個の逆転用パルス、・・・と、表示針１０３、１０４がランダムな動きを行うような駆動信号データが記憶されているものとする。尚、表示針１０３、１０４が、前記音楽データにあった動きをするように、前記第２の駆動信号データを予め選定しておく。
操作スイッチ１０８が操作されると、ＣＰＵ６０４はこれを検出して、ＲＯＭ６０３に記憶されている音楽データを、ドライバ回路６０６を介して圧電素子４０１に出力する。これにより、圧電素子４０１からは音楽が流れる。
同時に、ＣＰＵ６０４は、ＲＯＭ６０３に記憶されている前記第２の駆動信号データを、ドライバ回路６０５を介してステッピングモータ２００に出力する。ステッピングモータ２００は、前記第２の駆動信号データに対応して、ランダムに往復回転する。
これにより、表示針１０３、１０４が、ランダムに相互に反対方向に往復回転運動し、前記音楽にあった動きをさせることができる。
第９図は、本発明に係る表示針付き電子時計の他の具体例の外観を示す正面図であり、第１図と同一部分には同一符号を付している。
第９図において、表示針付き電子腕時計１００は、分針１０１及び時針１０２によって構成される時刻針を有すると共に、矢形の図形８０１が一体的に形成された第１の表示針１０３及びハート形の図形８０２が一体的に形成された第２の表示針１０４を備えている。表示針１０３、１０４は、分針１０１及び時針１０２と文字盤１０７の間に配設されている。一対の表示針１０３、１０４は各々、同一の所定角度Ｃの範囲で、同一速度で、相互に逆方向に往復運動するように回転駆動される。
第１０図は、本発明に係る表示針付き電子時計の他の具体例の外観を示す正面図であり、第１図及び第９図と同一部分には同一符号を付している。
第１０図において、表示針付き電子腕時計１００は、分針１０１及び時針１０２から成る時刻針を有すると共に、矢形の図形８０１が一体的に形成された第１の表示針１０３及びハート形の図形８０２が一体的に形成された第２の表示針１０４を備えている。表示針１０３、１０４は、分針１０１及び時針１０２と文字盤１０７の間に配設されている。一対の表示針１０３、１０４は、各々、同一の所定角度Ｄの範囲で、同一速度で、相互に逆方向に往復運動するように回転駆動される。
第１図、第９図及び第１０図に示すように、表示針１０３、１０４に取付ける図形をキャラクタ等の各種図形にしたりあるいは文字にする、又は、表示針１０３、１０４の取付け角度を変える、あるいは、表示針１０３、１０４の回転角度範囲を変える等、種々の態様にすることにより、多彩な表現が可能になる。
以上述べたように、本発明の具体例に係る表示針付き電子腕時計１００は、特に、時刻針（分針１０１、時針１０２）とは別に設けられた第１の表示針１０３及び第２の表示針１０４と、第１、第２の表示針１０３、１０４を各々逆方向に所定範囲で往復回転させる駆動手段（駆動回路６００及び前記回転手段）とを備えている。
したがって、多彩な表示が可能な表示針１０３、１０４を備えた表示針付き電子腕時計１００を提供することが可能になる。
また、単一方向への回転のみでは表現できないような表示、例えば、２本の表示針１０３、１０４に、キャラクタの両手または両足を一体的に形成する等、ある決められた所定範囲内で動作させたいような動きを表示することが可能になる。
また、表示針１０３、１０４に、両手の図形を一体的に形成した場合、動かしたい所定の範囲で前記両手をパタパタと往復運動させたり、又、表示針１０３、１０４の取付け角度を種々に設定することにより、キャラクタが大きく手を振ってみせたり、あるいは拍手してみせたりするような動作を表現することができる。
さらに、表示針１０３、１０４は常時往復運動をしているため、例えば店頭に陳列されている場合には、他の時計との差別化を図ることが可能になる。
さらにまた、表示針１０３、１０４を時刻針と文字盤１０７の間に配置したことにより、文字盤１０７上のデザインと一体感を持たせることができる。
また、車２１０は、径が異なると共に同一歯数を有し、歯形のモジュールが相違する歯車３０３とかな３０４を２段構成した構造となっている。これにより、筒車２１２、２１３の厚みを薄くすることが可能になるため電子腕時計を薄く構成できると共に、筒車２１３の運針むらを抑えることが可能になる。
即ち、車２１０と筒車２１２の歯合と、車２１０と車２１１の歯合とを同じ歯形で行った場合、筒車２１３を車２１０から断面方向に上下に逃がす必要が生じるため、電子腕時計の厚みが厚くなってしまう。また、車２１０を、筒車２１２に歯合する歯形Ｘの車と、車２１１に歯合する歯形Ｙのかなとの２段構成とした場合、車２１０のかな３０４と車２０９とが干渉しないように、車２１０のかな３０４の径を小さくする必要がある。車２１０のかな３０４の径を小さくすると、第１の表示針１０３及び第２の表示針１０４を駆動するための減速比を等しくする場合には、筒車２１３の径も小さくなってしまい、筒車２１３の運針むらが大きくなってしまう。本発明の具体例によれば、これらの問題が解消される。
尚、車２０９、２１０及び筒車２１２は、モータ２００の回転方向（即ち、ロータ磁石２０５の回転方向）と逆方向の回転を第１の表示針１０３に伝達する第１の輪列を構成し又、車２０９、２１０、２１１及び筒車２１３は、モータ２００の回転方向と同一方向の回転を第２の表示針１０４に伝達する第２の輪列を構成している。
また、前記駆動手段は、操作スイッチ１０８と、音声出力手段（圧電素子４０１）と、前記第１、第２の表示針１０３、１０４を相互に逆方向に往復回転させる回転手段と、制御手段（ＣＰＵ６０４）と、前記第１、第２の表示針１０３、１０４が相互に逆方向に第１の往復回転運動をするように前記回転手段を制御するための第１の駆動信号データ、音楽データ及び前記第１、第２の表示針１０３、１０４が相互に逆方向に第２の往復回転運動をするように前記回転手段を制御するための第２の駆動信号データを記憶する記憶手段（ＲＯＭ６０３）とを備え、前記制御手段は、前記操作スイッチが操作されていないときには、前記回転手段が前記第１の駆動信号データにより、前記第１、第２の表示針１０３、１０４が相互に逆方向に第１の往復回転運動を行わせるように制御し、前記操作スイッチ１０８の操作が操作されたときには、前記音楽データを前記音声出力手段（圧電素子４０１）に出力すると共に、前記回転手段が前記第２の駆動信号データにより、前記第１、第２の表示針１０３、１０４が相互に逆方向に第２の往復回転運動を行わせるように制御するように構成している。
したがって、表示針１０３、１０４を音楽に合わせた動きに駆動することが可能になり、多彩な表示が可能になる。
尚、前記各具体例においては、モータとして、コイル２０３、ステータ２０４及びロータ磁石２０５によって構成された時計用のステッピングモータ２００を使用したが、他の構成のモータを使用してもよい。
また、前記各具体例においては、表示針１０３、１０４を同一速度で回転するようにしたが、輪列の減速比を変えることにより、相互に異なる速度で回転させるようにしてもよい。
さらに、前記各具体例においては、表示針１０３、１０４の回転範囲を同一にしたが、異なるようにしてもよい。
さらにまた、前記各具体例においては、時刻針は分針１０１及び時針１０２によって構成したが、これに秒針を加えるようにしてもよい。
産業上の利用可能性
以上のように、本発明に係る表示針付き電子時計は、電子腕時計をはじめとして、壁掛け型電子時計、卓上型電子時計等の各種電子時計に適用できる。
【図面の簡単な説明】
第１図は、本発明に係る表示針付き電子時計の一具体例の外観を示す正面図である。
第２図は、本発明に係る表示針付き電子時計の一具体例に使用する駆動機構の背面図である。
第３図は、本発明に係る表示針付き電子時計の一具体例に使用する駆動機構の拡大背面図である。
第４図は、第２図におけるＢ−Ｂ断面図である。
第５図は、第４図の部分拡大図断面図である。
第６図は、本発明に係る表示針付き電子時計の一具体例に使用する車の正面図及び側面図である
第７図は、本発明に係る表示付き電子時計の一具体例に使用する駆動回路のブロック図である。
第８図は、第７図に示す駆動回路の動作を説明するためのタイミング図である。
第９図は、本発明に係る表示針付き電子時計の他の具体例の外観を示す正面図である。
第１０図は、本発明に係る表示針付き電子時計の他の具体例の外観を示す正面図である。
【図１】
0003895597.tif 000002
【図２】
0003895597.tif 000003
【図３】
0003895597.tif 000004
【図４】
0003895597.tif 000005
【図５】
0003895597.tif 000006
【図６】
0003895597.tif 000007
【図７】
0003895597.tif 000008
【図８】
0003895597.tif 000009
【図９】
0003895597.tif 000010
【図１０】
0003895597.tif 000011